(57)【要約】【課題】製造工程における検査工数を低減させ、組立費を低減させることが可能なファクシミリ検査システムを提供する。【解決手段】電話回線を介して通信を行うファクシミリ装置１の通信回線と接続する複数の検査装置１１〜１５を検査工程順に配置したファクシミリ検査システムにおいて、ファクシミリ装置１から発信されるファクシミリ通信信号を識別することにより、ファクシミリ装置１と検査装置１１〜１５の接続を切り換える機能を有する回線切換装置１６を備えた。【選択図】      図２
2004222210.tif 000002
【特許請求の範囲】
【請求項１】
電話回線を介して通信を行うファクシミリ装置の通信回線と接続する複数の検査装置を検査工程順に配置したファクシミリ検査システムにおいて、前記ファクシミリ装置から発信されるファクシミリ通信信号を識別することにより、前記ファクシミリ装置と検査装置の接続を切り換える回線切換装置を備えたことを特徴とするファクシミリ検査システム。
【請求項２】
請求項１のファクシミリ検査システムにおいて、識別するファクシミリ通信信号がダイアルパルス信号であることを特徴とするファクシミリ検査システム。
【請求項３】
請求項１のファクシミリ検査システムにおいて、識別するファクシミリ通信信号がトーン信号であることを特徴とするファクシミリ検査システム。
【請求項４】
請求項１のファクシミリ検査システムにおいて、前記検査装置の識別信号、検査項目、タイミングがプログラムされ、一連の検査動作を自動的に行うことを特徴とするファクシミリ検査システム。
【発明の詳細な説明】
【０００１】
【発明の属する技術分野】
本発明は、電話回線を介して通信を行うファクシミリ装置の通信回線と接続する複数の検査装置を検査工程順に配置したファクシミリ検査システムに関するものである。
【０００２】
【従来の技術】
一般にファクシミリ生産工場においては様々なファクシミリ機能機能検査を行っているが、回線絶縁抵抗計、簡易型交換機などファクシミリ回線と計測器、治具を接続して行う作業が多い。一例として、ファクシミリ回線絶縁抵抗検査、ＰＴＴ検査、ファクシミリ通信検査、ＤＴＭＦ検査などが挙げられる。
【０００３】
【発明が解決しようとする課題】
しかしながら、これらの検査作業を行うたびにファクシミリ回線のモジュラーコネクタを脱着する作業が発生すると共に、こららの作業はマシンタイムが長いことが多く、検査に携わる作業者を介在させる必要があることから、組立費の増加を招いている。
本発明は、ファクシミリ回線に接続することによって実施する複数のファクシミリ機能検査工程において、ファクシミリ回線と治具間との接続を自動的に切り換えることにより、製造工程における検査工数を低減させ、組立費を低減させることが可能なファクシミリ検査システムを提供することを目的とする。
具体的には、請求項１のファクシミリ検査システムでは、ファクシミリ装置から発信されるファクシミリ通信信号を識別しファクシミリ装置と複数の検査装置の接続を切り換えることにより、検査装置とファクシミリ回線の接続回数を減らすことを目的とする。
請求項２のファクシミリ検査システムでは、請求項１のファクシミリ通信信号をダイアルパルス信号にすることにより回線切換回路の機構を簡略化することができる。
請求項３のファクシミリ検査システムでは、請求項１のファクシミリ通信信号をプッシュボタン信号にすることにより回線切換回路の信号認識時間を短くすることができる。
請求項４のファクシミリ検査システムでは、検査装置の識別信号、検査項目、タイミングがプログラムされ、一連の動作を自動的に行うことにより、複数の検査工程の作業者を低減（無人化）することを目的とする。
【０００４】
【課題を解決するための手段】
上記目的を達成するために、請求項１記載の発明は、電話回線を介して通信を行うファクシミリ装置の通信回線と接続する複数の検査装置を検査工程順に配置したファクシミリ検査システムにおいて、ファクシミリ装置から発信されるファクシミリ通信信号を識別することにより、ファクシミリ装置と検査装置の接続を切り換える機能を有する回線切換装置を備えたファクシミリ検査システムを最も主要な特徴とする。
請求項２記載の発明は、請求項１のファクシミリ検査システムにおいて、識別するファクシミリ通信信号がダイアルパルス信号であるファクシミリ検査システムを主要な特徴とする。
請求項３記載の発明は、請求項１のファクシミリ検査システムにおいて、識別するファクシミリ通信信号がトーン信号であるファクシミリ検査システムを主要な特徴とする。
請求項４記載の発明は、請求項１のファクシミリ検査システムにおいて、検査装置の識別信号、検査項目、タイミングがプログラムされ、一連の検査動作を自動的に行うファクシミリ検査システムを主要な特徴とする。
【０００５】
【発明の実施の形態】
以下、図面により本発明の実施の形態を詳細に説明する。図１はファクシミリ検査システムの基本的な構成図である。ファクシミリ装置１の生産工場では、ファクシミリ回線と検査装置を接続することにより、ファクシミリ機能検査を行っている。
ファクシミリ装置１の検査工程としては、絶縁抵抗チェッカー１１によるファクシミリ回線の絶縁抵抗試験、ＰＴＴチェッカー１２によるファクシミリ信号の送出レベルなどを確認するＰＴＴ試験、ＤＴＭＦチェッカー１３によるプッシュダイアル信号の周波数、時間などを確認するＤＴＭＦ試験、交換機１４によるファクシミリ装置同士の通信機能の確認を行う通信検査などがある。これら絶縁抵抗チェッカー１１、ＰＴＴチェッカー１２、ＤＴＭＦチェッカー１３、交換機１４、さらには後述する図２で示すＦＡＸ単体チェッカー１５等が検査装置を構成する。
図２は本発明の実施の形態に係るファクシミリ検査システムの基本的な構成図である。本発明では、これら複数の検査装置とファクシミリ装置１の間に回線を切り換えるための回線切換装置１６を配置する。前述のＦＡＸ単体チェッカー１５も接続されている。
図３は図２に示す回線切換装置の内部ブロック図である。回線切換装置１６は、ファクシミリ装置１と各検査装置１１〜１５の接続を切り換えるための回線切換ブロック２１とファクシミリ装置１から発呼される信号を認識し、回線切換ブロック２１の制御を行うファクシミリ信号認識ブロック２２に分かれる。
【０００６】
図４はファクシミリ装置と回線切換装置と検査装置間の信号の授受の様子を示す図である。ファクシミリ装置１はあらかじめプログラムされた手順に従い、所定のダイアルパルス信号を発呼する。回線切換装置１６はファクシミリ装置１からの信号をファクシミリ信号認識ブロック２２へ伝達し、ファクシミリ信号認識ブロック２２にてファクシミリ回線のダイアルパルス信号を認識する。ファクシミリ信号認識ブロック２２は、認識した番号に対応するファクシミリ検査装置１とダイアルパルス信号を発呼したファクシミリ装置１の回線を接続するよう、回線切換ブロック２１に制御信号を送信する。
回線切換ブロック２１は、ファクシミリ信号認識ブロック２２からの信号により、ファクシミリ装置１とファクシミリ信号認識ブロック２２との接続を遮断し、ファクシミリ装置１と各検査装置１１〜１５を接続する。ファクシミリ装置１は各検査装置１１〜１５と接続した後、あらかじめプログラムされた手順に従い、各検査装置１１〜１５における動作検査（通信動作など）を実行する。
回線切換ブロック２１は各検査装置１１〜１５からの検査終了信号、またはあらかじめ決められたタイミングによりファクシミリ装置１と各検査装置１１〜１５との接続を遮断し、ファクシミリ装置１とファクシミリ信号認識ブロック２２とを接続する。
これらの動作を繰り返すことにより、ファクシミリ装置１は複数の検査装置１１〜１５と接続、遮断を繰り返し、自動的にすべての検査動作を行うことができる。
【０００７】
【発明の効果】
以上説明したように、請求項１のファクシミリ検査システムにおいては、ファクシミリ装置から発信されるファクシミリ通信信号を識別しファクシミリと複数の検査装置の接続を切り換えることにより、検査装置とファクシミリ回線の接続回数を減らすことができる。
請求項２のファクシミリ検査システムにおいては、請求項１のファクシミリ通信信号をダイアルパルス信号にすることにより回線切換装置の機構を簡略化することができる。
請求項３のファクシミリ検査システム装置においては、請求項１のファクシミリ通信信号をトーン信号にすることにより回線切換装置の信号認識時間を短くすることができる。
請求項４のファクシミリ検査システムにおいては、請求項１の検査装置（切換の識別信号、検査項目、タイミングがプログラムされ、一連の動作を自動的に行うことにより、複数の検査工程の作業者を低減（無人化）することができる。
【図面の簡単な説明】
【図１】ファクシミリ検査システムの基本的な構成図である。
【図２】本発明の実施の形態に係るファクシミリ検査システムの基本的な構成図である。
【図３】図２に示す回線切換装置の内部ブロック図である。
【図４】ファクシミリ装置と回線切換装置と検査装置間の信号の授受の様子を示す図である。
【符号の説明】
１  ファクシミリ装置（検査装置）、１１  絶縁抵抗チェッカー（検査装置）、１２  ＰＴＴチェッカー（検査装置）、１３  ＤＴＭＦチェッカー（検査装置）、１４交換機（検査装置）、１５  ＦＡＸ単体チェッカー（検査装置）、１６  回線切換回路
【図１】
2004222210.tif 000003
【図２】
2004222210.tif 000004
【図３】
2004222210.tif 000005
【図４】
2004222210.tif 000006